(57)【要約】    【課題】余分な冗長ビットを必要としない構成が簡素で、しかも復号誤り率の低い信号処理方法が必要。    【解決手段】入力端子１に入力されたユーザーデータ（５１２Byte＋付加データ）は、ＲＬＬ符号化器＿１（１０）でＲＬＬ符号化が行われる。このＲＬＬ符号化＿１のデータはシンボル誤り訂正符号化器２０に入力され、９ビットシンボルのＲＳ符号化される。このＲＳ符号化部分のデータはＲＬＬ符号化器＿２（１５）でＲＬＬ符号化される。磁気ディスク６０からの再生データはＲＬＬ復号化器＿２（１１５）でＲＳ符号に対するＲＬＬの復号が行われ、この信号はシンボル誤り訂正復号化器１２０で記録再生の際に発生したランダム誤りや欠陥によるバースト誤り等の符号誤りの訂正が行われ、ユーザーデータ＋ＲＬＬ信号となるこのデータは、ＲＬＬ復号化器＿１（１１０）で復号された後、出力端子２に出力される。【選択図】図１
2006155704.tif 000002
【特許請求の範囲】
【請求項１】
入力データである５１２バイトと付加データに対して、これをJ（J：正整数）個のブロック単位で符号化して記録媒体に記録し、再生信号から元のデータを復号するデータ記録再生方法において、前記入力データをＲＬＬ(Run Length Limited)符号化し、ＲＬＬ符号化したデータを１シンボルが９ビットの代数幾何符号化し、Jインターリーブで記録し、再生することを特徴とするデータ記録再生処理方法。
【請求項２】
前記代数幾何符号化は、１シンボルが９ビットのリードソロモン（ＲＳ）符号による誤りを検出・訂正する符号を、前記ＲＬＬ符号化したデータに付加するものであることを特徴とする請求項１記載のデータ記録再生処理方法。
【請求項３】
前記代数幾何符号化は、１シンボルが９ビットの伸張（拡大）リードソロモン（ＲＳ）符号による誤りを検出・訂正する符号を、前記ＲＬＬ符号化したデータに付加するものであることを特徴とする請求項１記載のデータ記録再生処理方法。
【請求項４】
記録媒体にデータを記録する際には、前記データをＲＬＬ(Run Length Limited)符号化し、続いてＲＬＬ符号化したデータを１シンボルが９ビットの代数幾何符号化し、さらに代数幾何符号化部分をＲＬＬ符号化して記録媒体に記録し、前記記録媒体に記録されたデータを再生する際には、再生データの代数幾何符号化部分をＲＬＬ復号化し、続いて前記代数幾何符号を用いて前記再生データの誤り訂正を行い、誤り訂正を行った再生データをＲＬＬ復号化することを特徴とするデータ記録再生処理方法。
【請求項５】
前記代数幾何符号化は、１シンボルが９ビットのリードソロモン（ＲＳ）符号による誤りを検出・訂正する符号を、前記ＲＬＬ符号化したデータに付加するものであることを特徴とする請求項４記載のデータ記録再生処理方法。
【請求項６】
前記代数幾何符号化は、１シンボルが９ビットの伸張（拡大）リードソロモン（ＲＳ）符号による誤りを検出・訂正する符号を、前記ＲＬＬ符号化したデータに付加するものであることを特徴とする請求項４記載のデータ記録再生処理方法。
【請求項７】
入力データをＲＬＬ(Run Length Limited)符号化する第１のＲＬＬ符号化器と、前記第１のＲＬＬ符号化器でＲＬＬ符号化したデータを１シンボルが９ビットの代数幾何符号化するシンボル誤り訂正符号化器と、前記シンボル誤り訂正符号化器で代数幾何符号化した部分をＲＬＬ符号化する第２のＲＬＬ符号化器と、記録媒体から再生したデータの代数幾何符号化部分をＲＬＬ復号化する第２のＲＬＬ復号化器と、前記代数幾何符号を用いて前記再生データの誤り訂正を行うシンボル誤り訂正復号化器と、誤り訂正を行った前記再生データをＲＬＬ復号化する第１のＲＬＬ復号化器とを有することを特徴とするデータ記録再生処理回路。
【請求項８】
前記代数幾何符号化は、１シンボルが９ビットのリードソロモン（ＲＳ）符号による誤りを検出・訂正する符号を、前記ＲＬＬ符号化したデータに付加するものであることを特徴とする請求項７記載のデータ記録再生処理回路。
【請求項９】
前記代数幾何符号化は、１シンボルが９ビットの伸張（拡大）リードソロモン（ＲＳ）符号による誤りを検出・訂正する符号を、前記ＲＬＬ符号化したデータに付加するものであることを特徴とする請求項７記載のデータ記録再生処理回路。
【請求項１０】
入力データをＲＬＬ(Run Length Limited)符号化する第１のＲＬＬ符号化器と、前記第１のＲＬＬ符号化器でＲＬＬ符号化したデータを１シンボルが９ビットの代数幾何符号化するシンボル誤り訂正符号化器と、前記シンボル誤り訂正符号化器で代数幾何符号化した部分をＲＬＬ符号化する第２のＲＬＬ符号化器と、前記第２のＲＬＬ符号化器の出力である記録データを記録媒体に記録する記録ヘッドと、前記記録媒体に記録されたデータを再生する再生ヘッドと、前記再生ヘッドで再生したデータの代数幾何符号化部分をＲＬＬ復号化する第２のＲＬＬ復号化器と、前記代数幾何符号を用いて前記再生データの誤り訂正を行うシンボル誤り訂正復号化器と、誤り訂正を行った前記再生データをＲＬＬ復号化する第１のＲＬＬ復号化器とを有することを特徴とするデータ記録再生装置。
【請求項１１】
前記代数幾何符号化は、１シンボルが９ビットのリードソロモン（ＲＳ）符号による誤りを検出・訂正する符号を、前記ＲＬＬ符号化したデータに付加するものであることを特徴とする請求項１０記載のデータ記録再生装置。
【請求項１２】
前記代数幾何符号化は、１シンボルが９ビットの伸張（拡大）リードソロモン（ＲＳ）符号による誤りを検出・訂正する符号を、前記ＲＬＬ符号化したデータに付加するものであることを特徴とする請求項１０記載のデータ記録再生装置。
【発明の詳細な説明】
【技術分野】
【０００１】
本発明は、記録媒体にデータを符号化して記録し、再生と復号を行うデータ記録再生処理方法に係り、特に記録するデータの効率の良い誤り訂正符号化方法と、再生信号から誤りの少ない復号データを得るための誤り訂正復号化方法に関する。
【背景技術】
【０００２】
データ記録再生装置、例えば磁気ディスク装置（以下ＨＤＤ）等では高記録密度化の要望がますます高まっており、これを支える記録再生系の信号処理技術も高記録密度化に対応してきた。
【０００３】
図２はＨＤＤにおけるデータ記録再生処理回路の一例を表わしたものである。図２において、記録側では、入力端子１に入力された記録データは、シンボル誤り訂正符号化器２０により誤り訂正符号化される。誤り訂正符号にはリードソロモン符号（以下ＲＳ符号と記す）が使用されることが多い。また、磁気記録再生方式では記録データの”１”及び”０”の連続を避けるために、ＲＬＬ(Run Length Limited)符号化器１０でＲＬＬ符号化が行われる。次に記録処理回路３０で同期信号等が付加され、記録アンプ４０、記録ヘッド５０を介して記録媒体６０に情報が記録される。
【０００４】
再生側では記録媒体６０から再生ヘッド１５０で読み出した信号を再生アンプ１４０で増幅し、再生処理回路１３０で同期信号検出などが行われる。次にＲＬＬ復号化器１１０でＲＬＬの復号が行われ、更にシンボル誤り訂正復号化器１２０で記録再生の際に発生したランダム誤りや欠陥によるバースト誤り等の符号誤りの訂正を行い、出力端子２に出力する。
【０００５】
ＨＤＤにおけるデータ記録再生処理では、入力データはシンボル誤り訂正符号化器により誤り訂正符号化される。誤り訂正符号には一般的に代数幾何符号の一クラスであるリードソロモン符号（以下ＲＳ符号と記す）が使用されている。入力データは５１２バイトと数バイト（１０バイト程度）の付加データに対して誤り訂正用の冗長シンボルが付加されて符号化・復号化が行われる。
【０００６】
１シンボル８ビット単位のＲＳ符号が使用されるのが一般的である。すなわち、この符号は入力データと数バイトの付加データに対して、必要な訂正数（ｔバイト）に対応したＲＳ符号を２ｔバイト付加して符号化する。この合計のバイト数は、誤り訂正符号が８ビットの場合、訂正処理できるデータ数は２８−１＝２５５バイト(２０４０ビット)以下である必要があり、通常は３または４インターリーブを行って符号化する。
【０００７】
更に、これらの符号化されたデータに”１”及び”０”が連続しないようにＲＬＬ符号化が行われ、このデータが記録媒体に記録される。再生の際にはこのＲＬＬ符号の復号が行われてから、ＲＳ符号に基づく復号が行われる。
【０００８】
特許文献１には、入力データに対してＲＬＬ符号化を最初に行い、その後にＲＳ符号の符号化を行う方法（以下、ＲＬＬ−ＥＣＣと呼ぶ）と、９ビットＲＳ符号を２インターリーブで符号化する方法が提案されている。この方法によれば記録再生で発生するエラーがＲＬＬ復号化の過程ではエラーが伝播しないという利点がある。
【０００９】
【特許文献１】特開平１１−７７３６号公報
【発明の開示】
【発明が解決しようとする課題】
【００１０】
上記特許文献１記載の発明では、２インターリーブで符号化しているために符号の性能を十分に出せていないという課題がある。つまり、シャノンの通信路符号化定理によれば、可能な限りインターリーブを減らし、符号長を長くすることが性能を向上させるために重要であるからである。
【００１１】
このため、最近では１シンボル１０ビットのＲＳ符号を採用して１インターリーブ（インターリーブなし）で使用する方法が提案されている。この場合には、２１０−１＝１０２３シンボルまでの入力データに対して１インターリーブ誤り訂正符号を構成することが可能となる。しかし、１シンボル１０ビットのＲＳ符号の場合には冗長度が大きいという問題がある。
【００１２】
本発明の目的は、冗長度が少なく、誤り訂正能力が高い符号構成を実現するデータ記録再生処理方法及び回路を提供することである。
【００１３】
本発明の他の目的は、データの誤り訂正能力が高いデータ記録再生装置を提供することである。
【課題を解決するための手段】
【００１４】
上記目的を達成するために、本発明のデータ記録再生処理方法においては、入力データである５１２バイトと付加データに対して、これをJ（J：正整数）個のブロック単位で符号化して記録媒体に記録し、再生信号から元のデータを復号するデータ記録再生処理方法において、前記入力データをＲＬＬ(Run Length Limited)符号化し、ＲＬＬ符号化したデータを１シンボルが９ビットの代数幾何符号化し、Jインターリーブで記録し、再生することを特徴とする。
【００１５】
前記代数幾何符号化は、１シンボルが９ビットのリードソロモン（ＲＳ）符号による誤りを検出・訂正する符号を、前記ＲＬＬ符号化したデータに付加するものである。
【００１６】
また、前記代数幾何符号化は、１シンボルが９ビットの伸張（拡大）リードソロモン（ＲＳ）符号による誤りを検出・訂正する符号を、前記ＲＬＬ符号化したデータに付加するものである。
【００１７】
上記目的を達成するために、本発明のデータ記録再生処理方法においては、記録媒体にデータを記録する際には、前記データをＲＬＬ(Run Length Limited)符号化し、続いてＲＬＬ符号化したデータを１シンボルが９ビットの代数幾何符号化し、さらに代数幾何符号化部分をＲＬＬ符号化して記録媒体に記録し、前記記録媒体に記録されたデータを再生する際には、再生データの代数幾何符号化部分をＲＬＬ復号化し、続いて前記代数幾何符号を用いて前記再生データの誤り訂正を行い、誤り訂正を行った再生データをＲＬＬ復号化することを特徴とする。
【００１８】
前記代数幾何符号化は、１シンボルが９ビットのリードソロモン（ＲＳ）符号による誤りを検出・訂正する符号を、前記ＲＬＬ符号化したデータに付加するものである。
【００１９】
また、前記代数幾何符号化は、１シンボルが９ビットの伸張（拡大）リードソロモン（ＲＳ）符号による誤りを検出・訂正する符号を、前記ＲＬＬ符号化したデータに付加するものである。
【００２０】
上記目的を達成するために、本発明のデータ記録再生処理回路においては、入力データをＲＬＬ(Run Length Limited)符号化する第１のＲＬＬ符号化器と、前記第１のＲＬＬ符号化器でＲＬＬ符号化したデータを１シンボルが９ビットの代数幾何符号化するシンボル誤り訂正符号化器と、前記シンボル誤り訂正符号化器で代数幾何符号化した部分をＲＬＬ符号化する第２のＲＬＬ符号化器と、記録媒体から再生したデータの代数幾何符号化部分をＲＬＬ復号化する第２のＲＬＬ復号化器と、前記代数幾何符号を用いて前記再生データの誤り訂正を行うシンボル誤り訂正復号化器と、誤り訂正を行った前記再生データをＲＬＬ復号化する第１のＲＬＬ復号化器とを有することを特徴とする。
【００２１】
前記代数幾何符号化は、１シンボルが９ビットのリードソロモン（ＲＳ）符号による誤りを検出・訂正する符号を、前記ＲＬＬ符号化したデータに付加するものである。
【００２２】
また、前記代数幾何符号化は、１シンボルが９ビットの伸張（拡大）リードソロモン（ＲＳ）符号による誤りを検出・訂正する符号を、前記ＲＬＬ符号化したデータに付加するものである。
【００２３】
上記他の目的を達成するために、本発明のデータ記録再生装置においては、入力データをＲＬＬ(Run Length Limited)符号化する第１のＲＬＬ符号化器と、前記第１のＲＬＬ符号化器でＲＬＬ符号化したデータを１シンボルが９ビットの代数幾何符号化するシンボル誤り訂正符号化器と、前記シンボル誤り訂正符号化器で代数幾何符号化した部分をＲＬＬ符号化する第２のＲＬＬ符号化器と、前記第２のＲＬＬ符号化器の出力である記録データを記録媒体に記録する記録ヘッドと、前記記録媒体に記録されたデータを再生する再生ヘッドと、前記再生ヘッドで再生したデータの代数幾何符号化部分をＲＬＬ復号化する第２のＲＬＬ復号化器と、前記代数幾何符号を用いて前記再生データの誤り訂正を行うシンボル誤り訂正復号化器と、誤り訂正を行った前記再生データをＲＬＬ復号化する第１のＲＬＬ復号化器とを有することを特徴とする。
【００２４】
前記代数幾何符号化は、１シンボルが９ビットのリードソロモン（ＲＳ）符号による誤りを検出・訂正する符号を、前記ＲＬＬ符号化したデータに付加するものである。
【００２５】
また、前記代数幾何符号化は、１シンボルが９ビットの伸張（拡大）リードソロモン（ＲＳ）符号による誤りを検出・訂正する符号を、前記ＲＬＬ符号化したデータに付加するものである。
【発明の効果】
【００２６】
本発明によれば、余分な冗長ビットを必要とせず、しかも復号誤り率の低いデータ記録再生処理方法及び回路を提供することができる。
【発明を実施するための最良の形態】
【００２７】
以下、本発明の一実施例によるデータ記録再生装置について、図面を参照して説明する。図１はデータ記録再生装置の一例として磁気ディスク装置の構成を示す。また、図３はデータの符号化、図４はデータの復号化の流れを示す。また、この実施例ではＪ＝１、すなわち５１２バイトと数バイトの付加データ（ＣＲＣ他）に対して１インターリーブで構成した場合を示す。
【００２８】
記録側では、入力端子１に入力されたユーザーデータ（５１２Byte＋付加データ）（第３図１′）は、ＲＬＬ符号化器＿１（１０）でＲＬＬ符号化が行われ、第３図１０′となる。このＲＬＬ符号としては符号化率の高い符号が望ましい。その理由は入力データとこのＲＬＬ符号、さらに９ビットのＲＳ符号による符号化されるトータルのデータが、符号長の制限である２９−１(５１１)シンボル、すなわち４５９９ビットを越すことは出来ないためである。なお、伸張（拡大）ＲＳ符号を使う場合はさらに２シンボルまで符号長を伸ばすことが出来るが、これについては後述する。
【００２９】
このＲＬＬ符号化＿１のデータはシンボル誤り訂正符号化器２０に入力され、９ビットシンボルのＲＳ符号化される（第３図２０′）。なお、このＲＳ符号化部分のデータはＲＬＬ符号化されていないため、ＲＬＬ符号化器＿２（１５）でこの部分のみ第２のＲＬＬ符号化を行う（第３図１５′）。この部分のデータはＲＳ符号化には無関係であるため、冗長度の大きな符号による符号化を行っても問題はない。さらに、パリティ符号などを付加して記録再生で発生する短い誤りに対処することも可能である（図示せず）。次に記録処理回路３０で同期信号等が付加され、記録アンプ４０、記録ヘッド５０を介して記録媒体（磁気ディスク）６０に情報が記録される。
【００３０】
再生側では磁気ディスク６０から再生ヘッド１５０で読み出した信号を再生アンプ１４０で増幅し、再生処理回路１３０で同期信号検出などが行われる（第４図１３０′）。パリティ符号などを付加して記録した場合には、再生では短い誤りを訂正した後このパリティを除去する（図示せず）。
【００３１】
次にＲＬＬ復号化器＿２（１１５）でＲＳ符号に対するＲＬＬの復号が行われ、第４図１１５′となる。更にこの信号はシンボル誤り訂正復号化器１２０で記録再生の際に発生したランダム誤りや欠陥によるバースト誤り等の符号誤りの訂正が行れ、ユーザーデータ＋ＲＬＬ信号となる（第４図１２０′）。このデータは、ＲＬＬ復号化器＿１（１１０）で復号された後、出力端子２に出力される（第４図１１０′）。
【００３２】
これにより、誤り訂正符号が８ビットの場合では３または４インターリーブ必要であったものを１インターリーブで構成することが出来る。そして、１０ビット単位で符号化するよりも誤り訂正符号の冗長度を削減でき、訂正能力の向上を図る符号構成が可能となる。
【００３３】
さらに、符号長を伸ばすために、伸張（拡大）ＲＳ符号を使うことができる。この伸張（拡大）ＲＳ符号の構造は、「今井秀樹、”符号理論“、電子情報通信学会編、p 155-158」に記載されている。図５に検査行列を示すが、ここでαは１の原始（ｑ−１）乗根とする。１，α，α２，α３，・・・，α（ｈ−１）を根とするＲＳ符号に２列を付け加えた、ｈ×（ｑ＋１）行列のｑ元符号が伸張（拡大）ＲＳ符号である。この符号は符号長が（ｑ＋１）であり、この行列の右端の１列を除いたｈ×ｑ行列を検査行列とする符号長ｑのｑ元符号も伸張（拡大）ＲＳ符号と呼ばれる。この符号は最小距離がｈ＋１で、最大距離分離符号となる。
【００３４】
このような伸張（拡大）ＲＳ符号を使用することにより、９ビットシンボルのＲＳ符号でも符号長を伸ばすことが出来るため、ユーザーデータが符号長の制限である２９−１(５１１)シンボル、すなわち４５９９ビットを越えて、さらに２シンボルだけ長い５１３シンボル（４６１７ビット）までのデータを符号化することが可能である。
【００３５】
以下ではユーザーデータが５１２バイト(４０９６ビット)、付加データが１０バイト(８０ビット)、ＲＳ符号の２０シンボル訂正の場合を考える。ここで、誤り訂正符号として１シンボルが８ビットの場合は、２０×２×８＝３２０ビット、１シンボルが９ビットの場合は２０×２×９＝３６０ビット、１シンボルが１０ビットの場合は２０×２×１０＝４００ビット必要となるので、合計のビット数は次のようになる。
【００３６】
１シンボル＝８ビットの場合  ：４１７６＋３２０＝４４９６ビット
１シンボル＝９ビットの場合  ：４１７６＋３６０＝４５３６ビット
１シンボル＝１０ビットの場合：４１７６＋４００＝４５７６ビット
表１に、ＲＳ符号の基礎体のビット数(８，９，１０ビット)と最大シンボル数、最大ビット数の関係を示す。
【００３７】
【表１】
2006155704.tif 000003
【００３８】
従来は８ビットのＲＳ符号を使う場合は、３または４インターリーブ構成としていた。このため、１０ビットのＲＳ符号を使って１インターリーブ構成として性能向上が図られていた。
【００３９】
表２に、ＲＬＬ−ＥＣＣ方式を採用した場合のデータ構成を示す。ここでＲＬＬ符号化器＿１としては１００ビットのデータを１０１ビットでＲＬＬ符号化する例を示したが、特にこれに限定されるものではない。ユーザーデータ４０９６ビット、付加データ（ＣＲＣ他）８０ビット、これらに対してＲＬＬ符号化＿１を加えると合計４２１８ビットのデータとなる。
【００４０】
【表２】
2006155704.tif 000004
【００４１】
表３に、２０シンボルのＲＳ符号によるＥＣＣデータを付加した場合の符号長と、さらにこのＥＣＣデータに対してＲＬＬ符号化＿２した場合のデータ構成を示す。これらを合計したデータのビット数が９ビットの符号で構成できる最大の符号長４５９９ビットを越さない範囲であれば、符号を実現することができる。
【００４２】
【表３】
2006155704.tif 000005
【００４３】
ＲＬＬ符号化＿２としては９ビットのＥＣＣの符号構成には関係しないため、例えば３０ビットのデータを３１ビットでＲＬＬ符号化すれば良いが、特にこれに限定されるものではない。この結果、１０ビットの符号構成に対して９ビットの符号構成は、ＥＣＣデータ部に関して約１０％、トータルのデータに関しては約０．９％のデータ削減が可能となる。また、この分をＥＣＣ訂正数の増加として性能向上を図ることも可能である。
【００４４】
なお、伸張（拡大）ＲＳ符号を使用することにより、９ビットシンボルのＲＳ符号でも２シンボルだけ長い、５１３シンボルまで符号長を伸ばすことも可能であり、更に多くのＥＣＣを付加することも出来る。
【００４５】
次に本発明の第二の実施例を図６により説明する。入力データが５１２バイトと数バイトの付加データをJ（J：正整数）個のブロックとして符号化をする方法を述べる。なお、Ｊ＝１、すなわち５１２バイトと数バイトの付加データに対しては上記したように１インターリーブ構造となり、最も効率が良い符号構成となる。Ｊ＝２以上の場合には、Ｊ個のデータブロックに対して９ビットの代数幾何符号を使い、インターリーブをしながらデータを構成することにより、効率の良い符号を構成することが可能となる。
【００４６】
５１２バイトと数バイトの付加データを、Ｊ（Ｊ：正整数）個のブロックとしてＲＬＬ符号化し、次に１シンボルが９ビットの代数幾何符号による誤りを検出・訂正する符号を付加し、Ｊインターリーブで記録・再生する符号構成例を、Ｊが２の場合の例を使って説明する。
【００４７】
図６（Ａ）は入力のデータ構成で、（Ｂ）は本発明の第一の実施例で説明した１インターリーブの場合を示したものである。入力の５１２バイトと数バイトの付加データ（図ではユーザーデータと呼ぶ）にＲＬＬ符号化＿１を行い（図示せず）、これにＲＳ符号を付加する。さらにＲＳ符号に対するＲＬＬ符号化＿２を行う（図示せず）。図６（Ｃ）はＪ（＝２）インターリーブした場合の符号構成である。５１２バイトと数バイトの付加データ（図ではユーザーデータと呼ぶ）を２ブロック分のデータに対して第一のＲＬＬ符号化＿１を行う（図示せず）。これらのデータに対して、９ビット単位のインターリーブをしたデータに対してＲＳ符号を付加する。さらにＲＳ符号にするＲＬＬ符号化＿２を行う（図示せず）。
【００４８】
以上述べたように、１シンボルが８ビット単位でインターリーブするものよりも性能が高く、かつ１０ビット単位で符号化するよりも誤り訂正符号の冗長度を削減でき、訂正能力の向上を図る符号構成が可能となる。
【００４９】
本発明は磁気記録装置、特に面内磁気記録や垂直磁気記録のどちらにでも適用することが出来ることは言うまでもない。なお、本発明は、その趣旨を逸脱しない範囲で適宜変更が可能である。
【図面の簡単な説明】
【００５０】
【図１】本発明の一実施例による磁気ディスク装置の構成図である。
【図２】従来技術による磁気ディスク装置の構成図である。
【図３】本発明の一実施例による符号化処理のデータ構成図である。
【図４】本発明の一実施例による復号化処理のデータ構成図である。
【図５】伸張（拡大）Reed-Solomon符号の検査行列を示す図である。
【図６】本発明の第二の実施例の符号化処理のデータ構成図である。
【符号の説明】
【００５１】
１０…ＲＬＬ符号化器＿１、２０…シンボル誤り訂正符号化器、１５…ＲＬＬ符号化器＿２、３０…記録処理回路、４０…記録アンプ、５０…記録ヘッド、６０…記録媒体、１５０…再生ヘッド、１４０…再生アンプ、１３０…再生処理回路、１１５…ＲＬＬ復号化器＿２、１２０…シンボル誤り訂正復号化器、１１０…ＲＬＬ符号化器＿１。
【図１】
2006155704.tif 000006
【図２】
2006155704.tif 000007
【図３】
2006155704.tif 000008
【図４】
2006155704.tif 000009
【図５】
2006155704.tif 000010
【図６】
2006155704.tif 000011